(57)【要約】      （修正有）【課題】シート状材料に含まれている異物を十分に除去することができる処理装置、シート製造装置、処理方法およびシートの製造方法の提供。【解決手段】繊維を含むシート状材料Ｍ１に、カチオン系ポリマーを含む液体ＣＰを付与してシート状材料Ｍ１に含まれる異物を凝集させる凝集部６と、凝集部６により生じた凝集物をシート状材料Ｍ１中から除去する除去部５と、を備える処理装置１。液体ＣＰは、前記カチオン系ポリマーの溶液であるのが好ましく、また、前記カチオン系ポリマーは、繰り返し構造中にアミンを含むものであるのが好ましい処理方法。【選択図】図１
2018184668.tif 000002
【特許請求の範囲】
【請求項１】
繊維を含むシート状材料に、カチオン系ポリマーを含む液体を付与して前記シート状材料に含まれる異物を凝集させる凝集部と、
前記凝集部により生じた凝集物を前記シート状材料中から除去する除去部と、
を備えることを特徴とする処理装置。
【請求項２】
前記液体は、前記カチオン系ポリマーの溶液である請求項１に記載の処理装置。
【請求項３】
前記カチオン系ポリマーは、繰り返し構造中にアミンを含むものである請求項１または２に記載の処理装置。
【請求項４】
前記カチオン系ポリマーは、下記式（１）で示されるものである請求項３に記載の処理装置。
【化１】
2018184668.tif 000006
（式（１）中のｎは２以上の整数、ｍは１以上５以下の整数、Ｒは水素原子または炭素数が１以上４以下のアルキル基である。）
【請求項５】
前記液体中における前記カチオン性ポリマーの含有率は、０．０００１質量％以上５０質量％以下である請求項１ないし４のいずれか１項に記載の処理装置。
【請求項６】
噴霧法、塗布法のうち少なくとも一方を用いて、前記液体を前記シート状材料に付与する請求項１ないし５のいずれか１項に記載の処理装置。
【請求項７】
前記異物が、アニオン性の物質である請求項１ないし６のいずれか１項に記載の処理装置。
【請求項８】
前記異物が、インクジェットインクの成分である請求項１ないし７のいずれか１項に記載の処理装置。
【請求項９】
前記凝集部で前記液体が付与される前の前記シート状材料に対し、当該シート状材料の表面積を増大させるための前処理を施す表面積増大処理部を備えている請求項１ないし８のいずれか１項に記載の処理装置。
【請求項１０】
前記表面積増大処理部は、前記シート状材料を毛羽立たせる毛羽立て部である請求項９に記載の処理装置。
【請求項１１】
前記表面積増大処理部よりも上流側に、前記シート状材料に予備的にカチオン系ポリマーを含む液体を付与する予備付与部をさらに備えている請求項９または１０に記載の処理装置。
【請求項１２】
前記除去部では、前記凝集物を含む前記シート状材料に、不織布または織布で構成された布材を接触させ、前記凝集物を前記布材に移行させて除去する請求項１ないし１１のいずれか１項に記載の処理装置。
【請求項１３】
請求項１ないし１２のいずれか１項に記載の処理装置を備えることを特徴とするシート製造装置。
【請求項１４】
繊維を含むシート状材料に、カチオン系ポリマーを含む液体を付与して前記シート状材料に含まれる異物を凝集させる凝集工程と、
前記凝集工程により生じた凝集物を前記シート状材料中から除去する除去工程と、
を備えることを特徴とする処理方法。
【請求項１５】
繊維を含むシート状材料に、カチオン系ポリマーを含む液体を付与して前記シート状材料に含まれる異物を凝集させる凝集工程と、
前記凝集工程により生じた凝集物を前記シート状材料中から除去する除去工程と、
を有し、
前記異物が除去された前記シート状材料からシートを製造することを特徴とするシートの製造方法。
【発明の詳細な説明】
【技術分野】
【０００１】
本発明は、処理装置、シート製造装置、処理方法およびシートの製造方法に関する。
【背景技術】
【０００２】
近年では、環境への意識が高まり、職場での紙（記録媒体）の使用量の削減だけではなく、職場での紙の再生を行うことが求められている。
【０００３】
記録媒体を再生する方法としては、例えば、鉛筆やシャープペンシル等のような黒鉛の芯を有する筆記具で曲線を描かれた紙に対しては、その曲線を消しゴムで消去する方法が知られている（例えば、特許文献１参照）。そして、曲線が除去された紙は、再度使用可能なものとなる。
【０００４】
しかしながら、特許文献に記載の再生方法では、紙の表面に存在する黒鉛については、消しゴムで消去することができるが、例えば、紙の厚さ方向の奥側にまで入り込んだ黒鉛までは、消しゴムで十分に消去することができないという問題があった。
【先行技術文献】
【特許文献】
【０００５】
【特許文献１】特開２０１６−１２４１０３号公報
【発明の概要】
【発明が解決しようとする課題】
【０００６】
本発明の目的は、シート状材料に含まれている異物を十分に除去することができる処理装置、シート製造装置、処理方法およびシートの製造方法を提供することにある。
【課題を解決するための手段】
【０００７】
このような目的は、下記の本発明により達成される。
本発明の処理装置は、繊維を含むシート状材料に、カチオン系ポリマーを含む液体を付与して前記シート状材料に含まれる異物を凝集させる凝集部と、
前記凝集部により生じた凝集物を前記シート状材料中から除去する除去部と、
を備えることを特徴とする。
【０００８】
これにより、シート状材料に含まれている異物を十分に除去することができる処理装置を提供することができる。
【０００９】
本発明の処理装置では、前記液体は、前記カチオン系ポリマーの溶液であることが好ましい。
【００１０】
これにより、液体中における不本意な組成のばらつきを効果的に抑制することができ、カチオン系ポリマーの付与量をより厳密に制御することができる。また、異物と接触したときの凝集物の形成が促進される。また、カチオン系ポリマーが繊維の狭い隙間や繊維の内部にもより好適に浸透することができ、これらの部位に存在する異物をより効率よく除去することができる。
【００１１】
本発明の処理装置では、前記カチオン系ポリマーは、繰り返し構造中にアミンを含むものであることが好ましい。
これにより、より効率よくシート状材料に含まれている異物を除去することができる。
【００１２】
本発明の処理装置では、前記カチオン系ポリマーは、下記式（１）で示されるものであることが好ましい。
【００１３】
【化１】
2018184668.tif 000003
（式（１）中のｎは２以上の整数、ｍは１以上５以下の整数、Ｒは水素原子または炭素数が１以上４以下のアルキル基である。）
【００１４】
これにより、さらに効率よくシート状材料に含まれている異物を除去することができる。また、このようなカチオン系ポリマーは、合成が比較的容易で、また、比較的安価に製造することができる。
【００１５】
本発明の処理装置では、前記液体中における前記カチオン性ポリマーの含有率は、０．０００１質量％以上５０質量％以下であることが好ましい。
【００１６】
これにより、カチオン系ポリマーの使用量を抑制しつつ、異物をより効率よく除去することができる。
【００１７】
本発明の処理装置では、噴霧法、塗布法のうち少なくとも一方を用いて、前記液体を前記シート状材料に付与することが好ましい。
【００１８】
これにより、カチオン系ポリマー（前記液体）の使用量を抑制しつつ、異物をより効率よく除去することができる。
【００１９】
本発明の処理装置では、前記異物が、アニオン性の物質であることが好ましい。
これにより、カチオン性ポリマーとの相互作用により、より好適に凝集物を形成することができ、除去部においてより好適に除去することができる。
【００２０】
本発明の処理装置では、前記異物が、インクジェットインクの成分であることが好ましい。
【００２１】
一般に、インクジェットインクの成分は、繊維の隙間だけでなく、繊維の内部にまで浸透しやすく、一般に繊維を含む記録媒体に付与された後に除去することは容易でない。これに対し、本発明では、カチオン系ポリマーを含む液体を用いることにより、インクジェットインクの成分であっても、繊維を含む材料（記録媒体）から好適に除去することができる。したがって、異物がインクジェットインクの成分である場合に、本発明による効果がより顕著に発揮される。
【００２２】
本発明の処理装置では、前記凝集部で前記液体が付与される前の前記シート状材料に対し、当該シート状材料の表面積を増大させるための前処理を施す表面積増大処理部を備えていることが好ましい。
これにより、シート状材料の異物をより効率よく除去することができる。
【００２３】
本発明の処理装置では、前記表面積増大処理部は、前記シート状材料を毛羽立たせる毛羽立て部であることが好ましい。
【００２４】
これにより、シート状材料の表面積を増大させるための処理を短時間で効率よく行うことができる。また、シート状材料を毛羽立たせることにより、下流側で行う解繊工程の効率も向上する。このようなことから、シート状材料の処理速度を向上させることができる。
【００２５】
本発明の処理装置では、前記表面積増大処理部よりも上流側に、前記シート状材料に予備的にカチオン系ポリマーを含む液体を付与する予備付与部をさらに備えていることが好ましい。
【００２６】
これにより、より効率よく凝集物を形成することができる。また、全体としてのカチオン系ポリマー（前記液体）の利用量を抑制した場合でも、十分に異物を除去することができる。
【００２７】
本発明の処理装置では、前記除去部では、前記凝集物を含む前記シート状材料に、不織布または織布で構成された布材を接触させ、前記凝集物を前記布材に移行させて除去することが好ましい。
【００２８】
これにより、より効率よく凝集物を除去することができる。また、余剰のカチオン系ポリマーが残存している場合に、除去部において、凝集物とともに、余剰のカチオン系ポリマーも効率よく除去することができる。
【００２９】
本発明のシート製造装置は、本発明の処理装置を備えることを特徴とする。
これにより、シート状材料に含まれている異物を十分に除去することができるシート製造装置を提供することができる。
【００３０】
本発明の処理方法は、繊維を含むシート状材料に、カチオン系ポリマーを含む液体を付与して前記シート状材料に含まれる異物を凝集させる凝集工程と、
前記凝集工程により生じた凝集物を前記シート状材料中から除去する除去工程と、
を備えることを特徴とする。
【００３１】
これにより、シート状材料に含まれている異物を十分に除去することができる処理方法を提供することができる。
【００３２】
本発明のシートの製造方法は、繊維を含むシート状材料に、カチオン系ポリマーを含む液体を付与して前記シート状材料に含まれる異物を凝集させる凝集工程と、
前記凝集工程により生じた凝集物を前記シート状材料中から除去する除去工程と、
を有し、
前記異物が除去された前記シート状材料からシートを製造することを特徴とする。
【００３３】
これにより、シート状材料に含まれている異物を十分に除去することができるシートの製造方法を提供することができる。
【図面の簡単な説明】
【００３４】
【図１】図１は、本発明のシート製造装置（第１実施形態）の上流側（本発明の処理装置）の構成を示す概略側面図である。
【図２】図２は、本発明のシート製造装置（第１実施形態）の下流側の構成を示す概略側面図である。
【図３】図３は、本発明のシート製造装置（第１実施形態）が実行する工程を順に示す図である。
【図４】図４は、図１に示す処理装置により処理されるシート状材料の状態を順に示すイメージ図（図１中の一点鎖線で囲まれた領域［Ａ］の拡大図）である。
【図５】図５は、図１に示す処理装置により処理されるシート状材料の状態を順に示すイメージ図（図１中の一点鎖線で囲まれた領域［Ｂ］の拡大図）である。
【図６】図６は、図１に示す処理装置により処理されるシート状材料の状態を順に示すイメージ図（図１中の一点鎖線で囲まれた領域［Ｃ］の拡大図）である。
【図７】図７は、図１に示す処理装置により処理されるシート状材料の状態を順に示すイメージ図（図１中の一点鎖線で囲まれた領域［Ｄ］の拡大図）である。
【図８】図８は、本発明のシート製造装置（第２実施形態）の上流側（本発明の処理装置）の構成を示す概略側面図である。
【図９】図９は、本発明のシート製造装置（第２実施形態）が実行する工程を順に示す図である。
【図１０】図１０は、図８に示す処理装置により処理されるシート状材料の状態を順に示すイメージ図（図８中の一点鎖線で囲まれた領域［Ａ’］の拡大図）である。
【図１１】図１１は、図８に示す処理装置により処理されるシート状材料の状態を順に示すイメージ図（図８中の一点鎖線で囲まれた領域［Ｂ’］の拡大図）である。
【図１２】図１２は、図８に示す処理装置により処理されるシート状材料の状態を順に示すイメージ図（図８中の一点鎖線で囲まれた領域［Ｃ’］の拡大図）である。
【図１３】図１３は、図８に示す処理装置により処理されるシート状材料の状態を順に示すイメージ図（図８中の一点鎖線で囲まれた領域［Ｄ’］の拡大図）である。
【発明を実施するための形態】
【００３５】
以下、本発明の処理装置、シート製造装置、処理方法およびシートの製造方法を添付図面に示す好適な実施形態に基づいて詳細に説明する。
【００３６】
本発明の処理装置１は、繊維ＦＢを含むシート状材料（原料）Ｍ１に、カチオン系ポリマーを含む液体（凝集材）ＣＰを付与してシート状材料Ｍ１に含まれる異物ＡＳを凝集させる凝集部（異物凝集部）６と、凝集部６により生じた凝集物ＡＧをシート状材料Ｍ１中から除去する除去部（異物除去部）５と、を備える。
【００３７】
また、本発明の処理方法は、繊維ＦＢを含むシート状材料（原料）Ｍ１に、カチオン系ポリマーを含む液体ＣＰを付与してシート状材料Ｍ１に含まれる異物ＡＳを凝集させる凝集工程と、凝集工程により生じた凝集物ＡＧをシート状材料Ｍ１中から除去する除去工程と、を備える。そして、この方法は、処理装置１によって実行される。
【００３８】
このような本発明によれば、後述するように、シート状材料Ｍ１に含まれている異物ＡＳの除去に先立って、シート状材料Ｍ１に含まれている異物ＡＳをカチオン系ポリマーと接触させることにより、凝集物ＡＧの形態にする。このような凝集物ＡＧは、比較的大型で除去し易い。したがって、シート状材料Ｍ１からの異物ＡＳの除去が容易となり、シート状材料Ｍ１から異物ＡＳを十分に除去することができる。特に、繊維ＦＢの狭い隙間や、繊維ＦＢの内部に浸透した異物ＡＳも好適に除去することができる。
【００３９】
すなわち、本発明に係る処理は、古紙の脱墨処理と言えるものである。従来の脱墨処理は、古紙を水中に分散させ、機械的、化学的（界面活性剤、アルカリ系薬品等）に着色剤を遊離させ、浮上法、スクリーン洗浄法などにより、色材を取り除く処理が一般的であるが、本発明では、古紙を水に浸す必要なく、脱墨が可能になる。乾式の脱墨技術と言えるものである。
【００４０】
本発明のシート製造装置１００は、処理装置１を備える。
また、本発明のシートの製造方法は、繊維ＦＢを含むシート状材料（原料）Ｍ１に、カチオン系ポリマーを含む液体（凝集材）ＣＰを付与してシート状材料Ｍ１に含まれる異物ＡＳを凝集させる凝集工程と、凝集工程により生じた凝集物ＡＧをシート状材料Ｍ１中から除去する除去工程と、を有し、異物ＡＳが除去されたシート状材料Ｍ１からシートＳを製造する。そして、この方法は、シート製造装置１００によって実行される。
【００４１】
このような本発明によれば、前述した処理装置１（処理方法）の利点を享受しつつ、異物ＡＳが除去されたシート状材料Ｍ１からシートＳをさらに製造する（再生する）ことができる。
【００４２】
＜第１実施形態＞
図１は、本発明のシート製造装置（第１実施形態）の上流側（本発明の処理装置）の構成を示す概略側面図である。図２は、本発明のシート製造装置（第１実施形態）の下流側の構成を示す概略側面図である。図３は、本発明のシート製造装置（第１実施形態）が実行する工程を順に示す図である。図４〜図７は、それぞれ、図１に示す処理装置により処理されるシート状材料の状態を順に示すイメージ図（図４は図１中の一点鎖線で囲まれた領域［Ａ］の拡大図、図５は図１中の一点鎖線で囲まれた領域［Ｂ］の拡大図、図６は図１中の一点鎖線で囲まれた領域［Ｃ］の拡大図、図７は図１中の一点鎖線で囲まれた領域［Ｄ］の拡大図）である。なお、以下では、説明の都合上、図１、図２および図４〜図７中（図８、図１０〜図１３についても同様）の上側を「上」または「上方」、下側を「下」または「下方」と言い、左側を「左」または「上流側」、右側を「右」または「下流側」と言うことがある。
【００４３】
図１に示すように、シート製造装置１００は、その上流側に、処理装置１を備えている。この処理装置１は、搬送部３と、表面積増大処理部（前処理部）４と、凝集部（異物凝集部）６と、除去部（異物除去部）５とを備えている。
【００４４】
また、図２に示すように、シート製造装置１００は、その下流側に、原料供給部１１と、粗砕部１２と、解繊部１３と、選別部１４と、第１ウェブ形成部１５と、細分部１６と、混合部１７と、ほぐし部１８と、第２ウェブ形成部１９と、シート形成部２０と、切断部２１と、ストック部２２とを備えている。また、シート製造装置１００は、加湿部２３１と、加湿部２３２と、加湿部２３３と、加湿部２３４とを備えている。
【００４５】
シート製造装置１００が備える各部の作動は、制御部（図示せず）によって制御されている。
【００４６】
図３に示すように、本実施形態では、シートの製造方法は、表面積増大工程（前処理工程）と、凝集工程（異物凝集工程）と、除去工程（異物除去工程）と、原料供給工程と、粗砕工程と、解繊工程と、選別工程と、第１ウェブ形成工程と、分断工程と、混合工程と、ほぐし工程と、第２ウェブ形成工程と、シート形成工程と、切断工程とを有する。そして、シート製造装置１００がこれらの工程を順に実行することができる。また、これらの工程のうち、処理装置１が行う工程は、表面積増大工程（前処理工程）と、凝集工程（異物凝集工程）と、除去工程（異物除去工程）である。
【００４７】
以下、シート製造装置１００が備える各部の構成について説明する。
まず、シート製造装置１００の下流側の構成について説明し、次いで、シート製造装置１００の上流側の構成、すなわち、処理装置１について説明する。
【００４８】
原料供給部１１は、粗砕部１２にシート状材料Ｍ１を供給する原料供給工程（図３参照）を行う部分である。このシート状材料Ｍ１としては、繊維ＦＢ（セルロース繊維）を含むシート状材料である（図４〜図７参照）。このシート状材料Ｍ１、すなわち、シート状材料は、処理装置１によって異物ＡＳを除去する異物除去処理が施されたものである。なお、セルロース繊維とは、化合物としてのセルロース（狭義のセルロース）を主成分とし繊維状をなすものであればよく、セルロース（狭義のセルロース）の他に、ヘミセルロース、リグニンを含むものであってもよい。
【００４９】
粗砕部１２は、原料供給部１１から供給されたシート状材料Ｍ１を気中（空気中）で粗砕する粗砕工程（図３参照）を行う部分である。粗砕部１２は、一対の粗砕刃１２１と、シュート（ホッパー）１２２とを有している。
【００５０】
一対の粗砕刃１２１は、互いに反対方向に回転することにより、これらの間でシート状材料Ｍ１を粗砕して、すなわち、裁断して粗砕片Ｍ２にすることができる。粗砕片Ｍ２の形状や大きさは、解繊部１３における解繊処理に適しているのが好ましく、例えば、１辺の長さが１００ｍｍ以下の小片であるのが好ましく、１０ｍｍ以上７０ｍｍ以下の小片であるのがより好ましい。
【００５１】
シュート１２２は、一対の粗砕刃１２１の下方に配置され、例えば漏斗状をなすものとなっている。これにより、シュート１２２は、粗砕刃１２１によって粗砕されて落下してきた粗砕片Ｍ２を受けることができる。
【００５２】
また、シュート１２２の上方には、加湿部２３１が一対の粗砕刃１２１に隣り合って配置されている。加湿部２３１は、シュート１２２内の粗砕片Ｍ２を加湿するものである。この加湿部２３１は、水分を含むフィルター（図示せず）を有し、フィルターに空気を通過させることにより、湿度を高めた加湿空気を粗砕片Ｍ２に供給する気化式（または温風気化式）の加湿器で構成されている。加湿空気が粗砕片Ｍ２に供給されることにより、粗砕片Ｍ２が静電気によってシュート１２２等に付着するのを抑制することができる。
【００５３】
シュート１２２は、管（流路）２４１を介して、解繊部１３に接続されている。シュート１２２に集められた粗砕片Ｍ２は、管２４１を通過して、解繊部１３に搬送される。
【００５４】
解繊部１３は、粗砕片Ｍ２を気中（空気中）で、すなわち、乾式で解繊する解繊工程（図３参照）を行う部分である。この解繊部１３での解繊処理により、粗砕片Ｍ２から解繊物Ｍ３を生成することができる。ここで「解繊する」とは、複数の繊維ＦＢが結着されてなる粗砕片Ｍ２を、繊維１本１本に解きほぐすことをいう。そして、この解きほぐされたものが解繊物Ｍ３となる。解繊物Ｍ３の形状は、線状や帯状である。また、解繊物Ｍ３同士は、絡み合って塊状となった状態、すなわち、いわゆる「ダマ」を形成している状態で存在してもよい。
【００５５】
解繊部１３は、例えば本実施形態では、高速回転するローターと、ローターの外周に位置するライナーとを有するインペラーミルで構成されている。解繊部１３に流入してきた粗砕片Ｍ２は、ローターとライナーとの間に挟まれて解繊される。
【００５６】
また、解繊部１３は、ローターの回転により、粗砕部１２から選別部１４に向かう空気の流れ（気流）を発生させることができる。これにより、粗砕片Ｍ２を管２４１から解繊部１３に吸引することができる。また、解繊処理後、解繊物Ｍ３を、管２４２を介して選別部１４に送り出すことができる。
【００５７】
管２４２の途中には、ブロアー２６１が設置されている。ブロアー２６１は、選別部１４に向かう気流を発生させる気流発生装置である。これにより、選別部１４への解繊物Ｍ３の送り出しが促進される。
【００５８】
選別部１４は、解繊物Ｍ３を、繊維ＦＢの長さの大小によって選別する選別工程（図３参照）を行う部分である。選別部１４では、解繊物Ｍ３は、第１選別物Ｍ４−１と、第１選別物Ｍ４−１よりも大きい第２選別物Ｍ４−２とに選別される。第１選別物Ｍ４−１は、その後のシートＳの製造に適した大きさのものとなっている。第２選別物Ｍ４−２は、例えば、解繊が不十分なものや、解繊された繊維ＦＢ同士が過剰に凝集したもの等が含まれる。
【００５９】
選別部１４は、ドラム部１４１と、ドラム部１４１を収納するハウジング部１４２とを有する。
【００６０】
ドラム部１４１は、円筒状をなす網体で構成され、その中心軸回りに回転する篩である。このドラム部１４１には、解繊物Ｍ３が流入してくる。そして、ドラム部１４１が回転することにより、網の目開きよりも小さい解繊物Ｍ３は、第１選別物Ｍ４−１として選別され、網の目開き以上の大きさの解繊物Ｍ３は、第２選別物Ｍ４−２として選別される。
第１選別物Ｍ４−１は、ドラム部１４１から落下する。
【００６１】
一方、第２選別物Ｍ４−２は、ドラム部１４１に接続されている管（流路）２４３に送り出される。管２４３は、ドラム部１４１と反対側（下流側）が管２４１と接続されている。この管２４３を通過した第２選別物Ｍ４−２は、管２４１内で粗砕片Ｍ２と合流して、粗砕片Ｍ２とともに解繊部１３に流入する。これにより、第２選別物Ｍ４−２は、解繊部１３に戻されて、粗砕片Ｍ２とともに解繊処理される。
【００６２】
また、ドラム部１４１からの第１選別物Ｍ４−１は、空気中に分散しつつ落下して、ドラム部１４１の下方に位置する第１ウェブ形成部（分離部）１５に向かう。第１ウェブ形成部１５は、第１選別物Ｍ４−１から第１ウェブＭ５を形成する第１ウェブ形成工程（図３参照）を行う部分である。第１ウェブ形成部１５は、メッシュベルト（分離ベルト）１５１と、３つの張架ローラー１５２と、吸引部（サクション機構）１５３とを有している。
【００６３】
メッシュベルト１５１は、無端ベルトであり、第１選別物Ｍ４−１が堆積する。このメッシュベルト１５１は、３つの張架ローラー１５２に掛け回されている。そして、張架ローラー１５２の回転駆動により、メッシュベルト１５１上の第１選別物Ｍ４−１は、下流側に搬送される。
【００６４】
第１選別物Ｍ４−１は、メッシュベルト１５１の目開き以上の大きさとなっている。これにより、第１選別物Ｍ４−１は、メッシュベルト１５１の通過が規制され、よって、メッシュベルト１５１上に堆積することができる。また、第１選別物Ｍ４−１は、メッシュベルト１５１上に堆積しつつ、メッシュベルト１５１ごと下流側に搬送されるため、層状の第１ウェブＭ５として形成される。
【００６５】
また、第１選別物Ｍ４−１には、例えば塵や埃等が混在しているおそれがある。塵や埃は、例えば、原料供給部１１から粗砕部１２にシート状材料Ｍ１を供給した際に、シート状材料Ｍ１とともに混入することがある。この塵や埃は、メッシュベルト１５１の目開きよりも小さい。これにより、塵や埃は、メッシュベルト１５１を通過して、さらに下方に落下する。
【００６６】
吸引部１５３は、メッシュベルト１５１の下方から空気を吸引することができる。これにより、メッシュベルト１５１を通過した塵や埃を空気ごと吸引することができる。
【００６７】
また、吸引部１５３は、管（流路）２４４を介して、回収部２７に接続されている。吸引部１５３で吸引された塵や埃は、回収部２７に回収される。
【００６８】
回収部２７には、管（流路）２４５がさらに接続されている。また、管２４５の途中には、ブロアー２６２が設置されている。このブロアー２６２の作動により、吸引部１５３で吸引力を生じさせることができる。これにより、メッシュベルト１５１上における第１ウェブＭ５の形成が促進される。この第１ウェブＭ５は、塵や埃が除去されたものとなる。また、塵や埃は、ブロアー２６２の作動により、管２４４を通過して、回収部２７まで到達する。
【００６９】
ハウジング部１４２は、加湿部２３２と接続されている。加湿部２３２は、加湿部２３１と同様の気化式の加湿器で構成されている。これにより、ハウジング部１４２内には、加湿空気が供給される。この加湿空気により、第１選別物Ｍ４−１を加湿することができ、よって、第１選別物Ｍ４−１がハウジング部１４２の内壁に静電力によって付着してしまうのを抑制することもできる。
【００７０】
選別部１４の下流側には、加湿部２３５が配置されている。加湿部２３５は、水を噴霧する超音波式加湿器で構成されている。これにより、第１ウェブＭ５に水分を供給することができ、よって、第１ウェブＭ５の水分量が調整される。この調整により、静電力による第１ウェブＭ５のメッシュベルト１５１への吸着を抑制することができる。これにより、第１ウェブＭ５は、メッシュベルト１５１が張架ローラー１５２で折り返される位置で、メッシュベルト１５１から容易に剥離される。
【００７１】
加湿部２３５の下流側には、細分部１６が配置されている。細分部１６は、メッシュベルト１５１から剥離した第１ウェブＭ５を分断する分断工程（図３参照）を行う部分である。細分部１６は、回転可能に支持されたプロペラ１６１と、プロペラ１６１を収納するハウジング部１６２とを有している。そして、回転するプロペラ１６１に第１ウェブＭ５が巻き込まれることにより、第１ウェブＭ５を分断することができる。分断された第１ウェブＭ５は、細分体Ｍ６となる。また、細分体Ｍ６は、ハウジング部１６２内を下降する。
【００７２】
ハウジング部１６２は、加湿部２３３と接続されている。加湿部２３３は、加湿部２３１と同様の気化式の加湿器で構成されている。これにより、ハウジング部１６２内には、加湿空気が供給される。この加湿空気により、細分体Ｍ６がプロペラ１６１やハウジング部１６２の内壁に静電力によって付着してしまうのを抑制することもできる。
【００７３】
細分部１６の下流側には、混合部１７が配置されている。混合部１７は、細分体Ｍ６と樹脂Ｐ１とを混合する混合工程（図３参照）を行う部分である。この混合部１７は、樹脂供給部１７１と、管（流路）１７２と、ブロアー１７３とを有している。
【００７４】
管１７２は、細分部１６のハウジング部１６２と、ほぐし部１８のハウジング部１８２とを接続しており、細分体Ｍ６と樹脂Ｐ１との混合物Ｍ７が通過する流路である。
【００７５】
管１７２の途中には、樹脂供給部１７１が接続されている。樹脂供給部１７１は、スクリューフィーダー１７４を有している。このスクリューフィーダー１７４が回転駆動することにより、樹脂Ｐ１を粉体または粒子として管１７２に供給することができる。管１７２に供給された樹脂Ｐ１は、細分体Ｍ６と混合されて混合物Ｍ７となる。
【００７６】
なお、樹脂Ｐ１は、後の工程で繊維ＦＢ同士を結着させるものであり、例えば、熱可塑性樹脂、硬化性樹脂等を用いることができるが、熱可塑性樹脂を用いるのが好ましい。熱可塑性樹脂としては、例えば、ＡＳ樹脂、ＡＢＳ樹脂、ポリエチレン、ポリプロピレン、エチレン−酢酸ビニル共重合体（ＥＶＡ）等のポリオレフィン、変性ポリオレフィン、ポリメチルメタクリレート等のアクリル樹脂、ポリ塩化ビニル、ポリスチレン、ポリエチレンテレフタレート、ポリブチレンテレフタレート等のポリエステル、ナイロン６、ナイロン４６、ナイロン６６、ナイロン６１０、ナイロン６１２、ナイロン１１、ナイロン１２、ナイロン６−１２、ナイロン６−６６等のポリアミド（ナイロン）、ポリフェニレンエーテル、ポリアセタール、ポリエーテル、ポリフェニレンオキシド、ポリエーテルエーテルケトン、ポリカーボネート、ポリフェニレンサルファイド、熱可塑性ポリイミド、ポリエーテルイミド、芳香族ポリエステル等の液晶ポリマー、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等が挙げられ、これらから選択される１種または２種以上を組み合わせて用いることができる。好ましくは、熱可塑性樹脂としては、ポリエステルまたはこれを含むものを用いる。
【００７７】
なお、樹脂供給部１７１から供給されるものとしては、樹脂Ｐ１の他に、例えば、繊維ＦＢを着色するための着色剤、繊維ＦＢの凝集や樹脂Ｐ１の凝集を抑制するための凝集抑制剤、繊維ＦＢ等を燃えにくくするための難燃剤等が含まれていてもよい。
【００７８】
また、管１７２の途中には、樹脂供給部１７１よりも下流側にブロアー１７３が設置されている。ブロアー１７３は、ほぐし部１８に向かう気流を発生させることができる。この気流により、管１７２内で、細分体Ｍ６と樹脂Ｐ１とを撹拌することができる。これにより、混合物Ｍ７は、細分体Ｍ６と樹脂Ｐ１とが均一に分散した状態で、ほぐし部１８に流入することができる。また、混合物Ｍ７中の細分体Ｍ６は、管１７２内を通過する過程でほぐされて、より細かい繊維状となる。
【００７９】
ほぐし部１８は、混合物Ｍ７における、互いに絡み合った繊維ＦＢ同士をほぐすほぐし工程（図３参照）を行う部分である。ほぐし部１８は、ドラム部１８１と、ドラム部１８１を収納するハウジング部１８２とを有する。
【００８０】
ドラム部１８１は、円筒状をなす網体で構成され、その中心軸回りに回転する篩である。このドラム部１８１には、混合物Ｍ７が流入してくる。そして、ドラム部１８１が回転することにより、混合物Ｍ７のうち、網の目開きよりも小さい繊維ＦＢ等が、ドラム部１８１を通過することができる。その際、混合物Ｍ７がほぐされることとなる。
【００８１】
また、ドラム部１８１でほぐされた混合物Ｍ７は、空気中に分散しつつ落下して、ドラム部１８１の下方に位置する第２ウェブ形成部１９に向かう。第２ウェブ形成部１９は、混合物Ｍ７から第２ウェブＭ８を形成する第２ウェブ形成工程（図３参照）を行う部分である。第２ウェブ形成部１９は、メッシュベルト（分離ベルト）１９１と、張架ローラー１９２と、吸引部（サクション機構）１９３とを有している。
【００８２】
メッシュベルト１９１は、無端ベルトであり、混合物Ｍ７が堆積する。このメッシュベルト１９１は、４つの張架ローラー１９２に掛け回されている。そして、張架ローラー１９２の回転駆動により、メッシュベルト１９１上の混合物Ｍ７は、下流側に搬送される。
【００８３】
また、メッシュベルト１９１上のほとんどの混合物Ｍ７は、メッシュベルト１９１の目開き以上の大きさである。これにより、混合物Ｍ７は、メッシュベルト１９１を通過してしまうのが規制され、よって、メッシュベルト１９１上に堆積することができる。また、混合物Ｍ７は、メッシュベルト１９１上に堆積しつつ、メッシュベルト１９１ごと下流側に搬送されるため、層状の第２ウェブＭ８として形成される。
【００８４】
吸引部１９３は、メッシュベルト１９１の下方から空気を吸引することができる。これにより、メッシュベルト１９１上に混合物Ｍ７を吸引することができ、よって、混合物Ｍ７のメッシュベルト１９１上への堆積が促進される。
【００８５】
吸引部１９３には、管（流路）２４６が接続されている。また、この管２４６の途中には、ブロアー２６３が設置されている。このブロアー２６３の作動により、吸引部１９３で吸引力を生じさせることができる。
【００８６】
ハウジング部１８２は、加湿部２３４と接続されている。加湿部２３４は、加湿部２３１と同様の気化式の加湿器で構成されている。これにより、ハウジング部１８２内には、加湿空気が供給される。この加湿空気により、ハウジング部１８２内を加湿することができ、よって、混合物Ｍ７がハウジング部１８２の内壁に静電力によって付着してしまうのを抑制することもできる。
【００８７】
ほぐし部１８の下流側には、加湿部２３６が配置されている。加湿部２３６は、加湿部２３５と同様の超音波式加湿器で構成されている。これにより、第２ウェブＭ８に水分を供給することができ、よって、第２ウェブＭ８の水分量が調整される。この調整により、静電力による第２ウェブＭ８のメッシュベルト１９１への吸着を抑制することができる。これにより、第２ウェブＭ８は、メッシュベルト１９１が張架ローラー１９２で折り返される位置で、メッシュベルト１９１から容易に剥離される。
【００８８】
第２ウェブ形成部１９の下流側には、シート形成部２０が配置されている。シート形成部２０は、第２ウェブＭ８からシートＳを形成するシート形成工程（図３参照）を行う部分である。このシート形成部２０は、加圧部２０１と、加熱部２０２とを有している。
【００８９】
加圧部２０１は、一対のカレンダーローラー２０３を有し、これらの間で第２ウェブＭ８を加熱せずに加圧することができる。これにより、第２ウェブＭ８の密度が高められる。そして、この第２ウェブＭ８は、加熱部２０２に向けて搬送される。なお、一対のカレンダーローラー２０３のうちの一方は、モーター（図示せず）の作動により駆動する主動ローラーであり、他方は、従動ローラーである。
【００９０】
加熱部２０２は、一対の加熱ローラー２０４を有し、これらの間で第２ウェブＭ８を加熱しつつ、加圧することができる。この加熱加圧により、第２ウェブＭ８内では、樹脂Ｐ１が溶融して、この溶融した樹脂Ｐ１を介して繊維ＦＢ同士が結着する。これにより、シートＳが形成される。そして、このシートＳは、切断部２１に向けて搬送される。なお、一対の加熱ローラー２０４の一方は、モーター（図示略）の作動により駆動する主動ローラーであり、他方は、従動ローラーである。
【００９１】
シート形成部２０の下流側には、切断部２１が配置されている。切断部２１は、シートＳを切断する切断工程（図３参照）を行う部分である。この切断部２１は、第１カッター２１１と、第２カッター２１２とを有する。
【００９２】
第１カッター２１１は、シートＳの搬送方向と交差する方向にシートＳを切断するものである。
【００９３】
第２カッター２１２は、第１カッター２１１の下流側で、シートＳの搬送方向に平行な方向にシートＳを切断するものである。
【００９４】
このような第１カッター２１１と第２カッター２１２との切断により、所望の大きさのシートＳが得られる。そして、このシートＳは、さらに下流側に搬送されて、ストック部２２に蓄積される。
【００９５】
ところで、本実施形態では、シートＳとして再生されるシート状材料Ｍ１は、印刷されて使用済みとなった古紙である。このため、原料供給部１１に投入される前のシート状材料Ｍ１（繊維ＦＢ）は、黒色またはカラーのトナー、各種インク、各種染料、顔料等の色材や、その他、埃、塵等が付着したものとなっている。以下、これらの付着物を総称して「異物ＡＳ」と言う。シートＳを再生する際には、異物ＡＳは、できる限り除去された状態となっているのが好ましい。これにより、シートＳは、再生時に不純物となり得る異物ＡＳが除去された高品質のものとなる。
【００９６】
そこで、シート製造装置１００では、その上流側に配置された処理装置１によって、シート状材料Ｍ１から異物ＡＳの除去が可能な構成となっている。以下、処理装置１について説明する。特に、インク（特に、インクジェットインク）由来の異物は、繊維の狭い隙間や繊維の内部に浸透しやすく、一般には、除去が困難であるとされているが、本発明では、このようなインク（特に、インクジェットインク）由来の異物でも好適に除去することができる。言い換えると、異物ＡＳがインク（特に、インクジェットインク）由来のものである場合、本発明による効果がより顕著に発揮される。
【００９７】
図１に示すように、処理装置１は、搬送部３と、表面積増大処理部（前処理部）４と、凝集部（異物凝集部）６と、除去部（異物除去部）５とを備えている。
【００９８】
搬送部３は、シート状材料Ｍ１を下流側に向かって搬送するものである。搬送部３は、グルーベルト３１と、２つの張架ローラー３２と、多数のアイドルローラー３３とを有している。
【００９９】
グルーベルト３１は、その表面が粘着性を有する無端ベルトである。この粘着力により、グルーベルト３１上でシート状材料Ｍ１は、固定された状態となり、よって、表面積増大処理部（前処理部）４による表面積増大工程（前処理工程）や、除去部５による異物除去工程が安定して行われる。また、グルーベルト３１上には、複数のシート状材料Ｍ１を載置可能である。そして、グルーベルト３１上でのこれらのシート状材料Ｍ１の向き（姿勢）は、揃っていてもよいし、そうでなくてもよい。
【０１００】
２つの張架ローラー３２は、上流側と下流側とに互いに離間して配置されており、グルーベルト３１が掛け回されている。２つの張架ローラー３２のうちの一方の張架ローラー３２は、モーター（図示せず）に接続され、このモーターの駆動により矢印α３２方向に回転する駆動ローラーである。また、他方の張架ローラー３２は、駆動ローラーからの回転力がグルーベルト３１を介して伝達されて、駆動ローラーと同様に矢印α３２方向に回転する従動ローラーである。そして、各張架ローラー３２の回転により、グルーベルト３１上のシート状材料Ｍ１は、搬送方向α３１に搬送される。
【０１０１】
また、搬送部３では、駆動ローラーの回転数を調整することにより、シート状材料Ｍ１の搬送速度が可変となる。
【０１０２】
多数のアイドルローラー３３は、２つの張架ローラー３２の間に、間隔を置いて配置されている。各アイドルローラー３３は、グルーベルト３１の駆動に伴って、張架ローラー３２の回転方向と同方向の矢印α３３方向に回転することができる。このようなアイドルローラー３３により、グルーベルト３１の撓みを防止することができ、よって、シート状材料Ｍ１を安定して搬送することができる。
【０１０３】
なお、搬送部３は、図１に示す構成ではベルト搬送による構成のものとなっているが、これに限定されず、例えば、ステージ上でシート状材料Ｍ１を負圧により吸着保持しつつ搬送する構成のもの、すなわち、プラテンであってもよい。
【０１０４】
図１に示すように、処理装置１は、凝集部６でカチオン系ポリマーを含む液体ＣＰが付与される前のシート状材料Ｍ１に対し、シート状材料Ｍ１の表面積を増大させるための前処理を施す表面積増大処理部（前処理部）４を備えている。より詳しくは、図１に示すように、グルーベルト３１の上側に、表面積増大処理部（前処理部）４が配置されている。
【０１０５】
これにより、シート状材料Ｍ１の表面積が増え、シート状材料Ｍ１中に含まれる異物ＡＳとカチオン系ポリマーを含む液体ＣＰ（カチオン系ポリマー）とを、より効率よく接触させることができる。また、表面積増大工程前の状態では、シート状材料Ｍ１の深部（図１中上側の面よりも下側の部位）の繊維ＦＢの狭い隙間に存在していた異物ＡＳや、繊維ＦＢの内部に浸透していた異物ＡＳを、凝集部（異物凝集部）６において、より効率よくカチオン系ポリマーを含む液体ＣＰ（カチオン系ポリマー）と接触させることができる。このようなことから、シート状材料Ｍ１中の異物ＡＳをより効率よく除去することができる。
【０１０６】
表面積増大処理部（前処理部）４は、シート状材料Ｍ１の表面積を増大させるための前処理を施すことができれば、いかなる構成であってもよいが、本実施形態では、シート状材料Ｍ１を毛羽立たせる毛羽立て部である。
【０１０７】
これにより、シート状材料Ｍ１に対し、シート状材料Ｍ１の表面積を増大させるための処理を短時間で効率よく行うことができる。また、シート状材料Ｍ１を毛羽立たせることにより、下流側で行う解繊工程の効率も向上する。このようなことから、シート状材料Ｍ１の処理速度を向上させることができる。
【０１０８】
ここで、「毛羽立たせる」について説明する。
シート状材料Ｍ１に含まれる繊維ＦＢは、表面積増大工程（毛羽立て工程）を経るまでは、図４に示すように、寝ている、すなわち、伏倒した状態となっている。図４に示す状態では、繊維ＦＢ同士は、同じ方向、すなわち、図４中の左側に伏倒しているが、中には、互いに異なる方向に伏倒しているものがあってもよい。そして、表面積増大工程（毛羽立て工程）を経ることにより、少なくとも表面付近にある繊維ＦＢは、図５に示すように、図４に示す状態よりも起き上がる、すなわち、起立する。これを「毛羽立たせる」と言う。なお、繊維ＦＢの起立状態は、凝集工程で、シート状材料Ｍ１にカチオン系ポリマーを含む液体ＣＰが付与されるまでは維持される。
【０１０９】
図１に示すように、表面積増大処理部（毛羽立て部）４は、ブラシ４１を有している。このブラシ４１は、回転可能に支持された円筒状または円柱状をなす芯部４１１と、芯部４１１の外周部に設けられたブラシ毛４１２とを有している。
【０１１０】
芯部４１１は、モーター（図示せず）に接続され、このモーターの駆動により、ブラシ毛４１２ごと矢印α４１方向に回転することができる。
【０１１１】
芯部４１１の外周部には、その全周にわたってブラシ毛４１２が植え込まれている。ブラシ毛４１２は、例えば、ポリアミドやポリエステル等のような可撓性を有する樹脂材料で構成されている。
【０１１２】
また、ブラシ毛４１２の毛先は、鋭利となっていてもよいし、丸みを帯びていてもよい。
【０１１３】
そして、ブラシ４１が矢印α４１方向に回転することにより、その直下を通過するシート状材料Ｍ１は、繊維ＦＢがブラシ４１のブラシ毛４１２に接触して、搬送方向α３１と反対方向、すなわち、上流側に強制的に押し戻される。これにより、シート状材料Ｍ１では、繊維ＦＢが毛羽立った状態となる、すなわち、繊維ＦＢが図４に示す状態から図５に示す状態となる。このような状態により、異物ＡＳをできる限り繊維ＦＢから浮かせることができ、よって、除去部５で繊維ＦＢが除去され易くなる。
【０１１４】
なお、ブラシ４１は、本実施形態では矢印α４１方向に回転するよう構成されているが、これに限定されず、例えば、矢印α４１方向と反対方向に回転するよう構成されていてもよいし、矢印α４１方向の回転と、その回転と反対方向の回転とを周期的に交互に行うよう構成されていてもよい。
【０１１５】
また、ブラシ４１は、本実施形態では回転するよう構成されているが、これに限定されず、例えば、搬送方向α３１と反対方向または搬送方向α３１と同方向に移動するよう構成されていてもよい。
【０１１６】
また、ブラシ４１の下方には、アイドルローラー３３の１つがグルーベルト３１を介して位置している（以下のこのアイドルローラー３３を「アイドルローラー３３ａ」と言う）。このアイドルローラー３３ａにより、ブラシ４１を上側からシート状材料Ｍ１に押し付けることができ、よって、ブラシ毛４１２と繊維ＦＢとが十分に接触する。これにより、繊維ＦＢを過不足なく毛羽立たせることができる。
【０１１７】
処理装置１は、表面積増大処理部（毛羽立て部）４の下流側（表面積増大処理部４と除去部５との間）には、シート状材料Ｍ１に、カチオン系ポリマーを含む液体ＣＰを付与してシート状材料Ｍ１に含まれる異物ＡＳを凝集させる凝集部（異物凝集部）６を備えている。この凝集部６が行う凝集工程（異物凝集工程）は、表面積増大工程と除去工程（異物除去工程）との間で行われる。
【０１１８】
凝集部６は、グルーベルト３１の上側に配置されており、カチオン系ポリマーを含む液体ＣＰを上方からシート状材料Ｍ１に供給することができる。これにより、シート状材料Ｍ１上で異物ＡＳを凝集させることができ、凝集物ＡＧが形成される（図６参照）。より具体的には、カチオン系ポリマーを含む液体ＣＰを付与することにより、カチオン系ポリマーと異物ＡＳとの間での電気的な作用で、比較的大きい凝集物ＡＧを効率よく形成することができる。また、異物ＡＳが繊維ＦＢに強固に結合している場合でも、カチオン系ポリマーを含む液体ＣＰを用いることにより、繊維ＦＢと異物ＡＳとの結合力を弱め、比較的大きい凝集物ＡＧを効率よく形成することができる。また、液体ＣＰを用いることにより、カチオン系ポリマーは、繊維ＦＢ間の狭い隙間や、繊維ＦＢの内部にも好適に浸透することができる。したがって、このような部位に存在する異物ＡＳを効率よく除去することができる。
【０１１９】
そして、凝集した異物ＡＳは、除去工程（異物除去工程）で容易に除去される大きさのものとなっている。
【０１２０】
したがって、凝集した異物ＡＳは、除去部（異物除去部）５の作動によって、シート状材料Ｍ１から容易に除去される。
【０１２１】
このような効果は、異物ＡＳが電荷を有するもの（特に、アニオン性の異物ＡＳ）である場合に、より顕著に発揮される。
【０１２２】
カチオン系ポリマーを含む液体ＣＰは、例えば、カチオン系ポリマーの熔融液、カチオン系ポリマーが分散した分散液等であってもよいが、カチオン系ポリマーの溶液であるのが好ましい。
【０１２３】
これにより、液体ＣＰ中における不本意な組成のばらつきを効果的に抑制することができ、カチオン系ポリマーの付与量をより厳密に制御することができる。また、カチオン系ポリマーを含む液体ＣＰが溶液であると、異物ＡＳと接触したときの凝集物ＡＧの形成が促進される。また、カチオン系ポリマーを含む液体ＣＰが溶液であると、カチオン系ポリマーが繊維ＦＢの狭い隙間や繊維ＦＢの内部にもより好適に浸透することができ、これらの部位に存在する異物ＡＳをより効率よく除去することができる。
【０１２４】
なお、液体ＣＰがカチオン系ポリマーを分散質として含む分散液である場合、液体ＣＰ中におけるカチオン系ポリマーの平均粒径は、０．１μｍ以上１００μｍ以下であるのが好ましく、０．５μｍ以上５０μｍ以下であるのがより好ましく、１．０μｍ以上３０μｍ以下であるのがさらに好ましい。
【０１２５】
これにより、液体ＣＰ中におけるカチオン系ポリマー（分散質）の凝集をより効果的に防止することができ、液体ＣＰ中における不本意な組成のばらつきを効果的に抑制することができ、液体ＣＰの保存安定性が向上する。また、このようなことから、カチオン系ポリマーの付与量をより厳密に制御することができる。また、カチオン系ポリマーの平均粒径が前記範囲内の値であると、カチオン系ポリマーが繊維ＦＢの狭い隙間や繊維ＦＢの内部にもより好適に浸透することができ、これらの部位に存在する異物ＡＳをより効率よく除去することができる。
なお、本発明において、平均粒径とは、体積基準の平均粒径をいう。
【０１２６】
液体ＣＰ中におけるカチオン系ポリマーの含有率は、特に限定されないが、０．０００１質量％以上５０質量％以下であるのが好ましく、０．００１質量％以上４０質量％以下であるのがより好ましく、０．０１質量％以上３０質量％以下であるのがさらに好ましい。
【０１２７】
これにより、カチオン系ポリマーの使用量を抑制しつつ、異物ＡＳをより効率よく除去することができる。
【０１２８】
カチオン系ポリマーを含む液体ＣＰをシート状材料Ｍ１に付与する方法は、特に限定されず、例えば、噴霧法、塗布法、印刷法、浸漬法（ディッピング）等が挙げられるが、中でも、噴霧法、塗布法のうち少なくとも一方を用いて、カチオン系ポリマーを含む液体ＣＰをシート状材料Ｍ１に付与するのが好ましい。
【０１２９】
これにより、例えば、シート状材料Ｍ１の所望の部位に、所望量のカチオン系ポリマーを含む液体ＣＰを効率よく付与することができる。したがって、カチオン系ポリマーを含む液体ＣＰ（カチオン系ポリマー）の使用量を抑制しつつ、異物ＡＳをより効率よく除去することができる。
【０１３０】
シート状材料Ｍ１に付与するカチオン系ポリマーを含む液体ＣＰの目付量は、特に限定されないが、１μｇ／ｍ２以上５０ｇ／ｍ２以下であるのが好ましく、５μｇ／ｍ２以上４０ｇ／ｍ２以下であるのよりが好ましく、１０μｇ／ｍ２以上３０ｇ／ｍ２以下であるのがさらに好ましい。
【０１３１】
これにより、カチオン系ポリマーを含む液体ＣＰ（カチオン系ポリマー）の使用量を抑制しつつ、異物ＡＳをより効率よく除去することができる。
【０１３２】
なお、シート状材料Ｍ１の特定の部位（例えば、印刷が施された部位）に選択的にカチオン系ポリマーを含む液体ＣＰを付与する場合、当該特定の部位におけるカチオン系ポリマーを含む液体ＣＰの目付量が、前述した条件を満足するのが好ましい。
【０１３３】
また、このように特定の部位に選択的にカチオン系ポリマーを含む液体ＣＰを付与することにより、カチオン系ポリマーを含む液体ＣＰ（カチオン系ポリマー）の使用量をより効果的に抑制することができる。また、凝集物ＡＧの除去や余剰のカチオン系ポリマーの除去に要する時間を短縮することができるため、シート状材料Ｍ１の処理速度を向上させることができる。
【０１３４】
なお、予め、図示しない検出手段により、（例えば、光学的に）シート状材料Ｍ１の異物ＡＳを含む部位を特定すること（当該部位の座標を求めること）により、特定の部位への選択的なカチオン系ポリマーを含む液体ＣＰの付与を好適に行うことができる。また、図示しない検出手段により、（例えば、光学的に）シート状材料Ｍ１の各部位での異物ＡＳの含有量（絶対的な含有量または相対的な含有率）を検出し、当該検出結果に基づいて、カチオン系ポリマーを含む液体ＣＰの付与量を調整してもよい。
【０１３５】
液体ＣＰ中に含まれるカチオン系ポリマーは、カチオン性を示す高分子材料であれば、特に限定されないが、繰り返し構造中にアミンを含むものであるのが好ましい。
【０１３６】
これにより、より効率よくシート状材料Ｍ１に含まれている異物ＡＳを除去することができる。
【０１３７】
なお、前記アミンは、アミノ基（−ＮＨ２）、モノアルキルアミノ基（−ＮＨＲ）、ジアルキルアミノ基（−ＮＲＲ’）、トリアルキルアンモニウム基（−Ｎ＋ＲＲ’Ｒ’’）等を含む概念である。
【０１３８】
特に、カチオン系ポリマーは、下記式（１）で示されるものであるのが好ましい。
【０１３９】
【化２】
2018184668.tif 000004
（式（１）中のｎは２以上の整数、ｍは１以上５以下の整数、Ｒは水素原子または炭素数が１以上４以下のアルキル基である。）
【０１４０】
これにより、さらに効率よくシート状材料Ｍ１に含まれている異物ＡＳを除去することができる。また、このようなカチオン系ポリマーは、合成が比較的容易で、また、比較的安価に製造することができる。
【０１４１】
中でも、カチオン系ポリマーは、式（１）中のｍが３で、Ｒがメチル基であるものであるのが好ましい。
【０１４２】
これにより、前述したような効果はより顕著に発揮される。
また、カチオン系ポリマーは、下記式（２）で示されるものであってもよい。
【０１４３】
【化３】
2018184668.tif 000005
（式（２）中のｎは２以上の整数である。）
【０１４４】
カチオン系ポリマーを含む液体ＣＰが、カチオン系ポリマーが溶解する溶液またはカチオン系ポリマーが分散する分散液である場合、溶液を構成する溶媒、分散液を構成する分散媒としては、例えば、水；エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；カルビトールやそのエステル化合物（例えば、カルビトールアセテート等）等のカルビトール類；セロソロブやそのエステル化合物（例えば、セロソロブアセテート等）等のセロソロブ類；メチルエチルケトン、アセトン、メチルイソブチルケトン、エチル−ｎ−ブチルケトン、ジイソプロピルケトン、アセチルアセトン等のケトン類；メタノール、エタノール、プロパノール、ブタノール等の一価アルコールや、エチレングリコール、プロピレングリコール、ジプロピレングリコール、ブタンジオール、グリセリン、１，３−ブチレングリコール等の多価アルコール等のアルコール類；テトラアルキルアンモニウムアセテート（例えば、テトラブチルアンモニウムアセテート等）等のイオン液体等が挙げられ、これらから選択される１種または２種以上を組み合わせて用いることができるが、水を含むものであるのが好ましい。また、例えば、処理装置１内での液体成分（溶媒、分散媒）の除去が不十分であっても、シートＳの製造工程や、製造されるシートＳの品質に対して悪影響を与えにくい。
【０１４５】
これにより、カチオン系ポリマーを含む液体ＣＰ中において、カチオン系ポリマーがより好適に電離することができる。
【０１４６】
カチオン系ポリマーを含む液体ＣＰのｐＨ（２５℃におけるｐＨ）は、５．８以上７．８以下であるのが好ましく、６．０以上７．５以下であるのがより好ましく、６．５以上７．３以下であるのがさらに好ましい。
【０１４７】
これにより、処理装置１での処理中におけるシート状材料Ｍ１に対するダメージを抑制しつつ、より効率よく異物ＡＳを除去することができる。また、仮に、処理装置１による処理済みのシート状材料Ｍ１中にカチオン系ポリマーが残存した場合であっても、残存する当該カチオン系ポリマーによる悪影響の発生（シート状材料Ｍ１の劣化等）がより効果的に抑制される。
【０１４８】
また、異物ＡＳは、いかなるものであってもよいが、インクジェットインクの成分であるのが好ましい。
【０１４９】
一般に、インクジェットインクの成分は、繊維の隙間だけでなく、繊維の内部にまで浸透しやすく、一般に繊維を含む記録媒体に付与された後に除去することは容易でない。これに対し、本発明では、カチオン系ポリマーを含む液体ＣＰを用いることにより、インクジェットインクの成分であっても、繊維ＦＢを含むシート状材料Ｍ１から好適に除去することができる。したがって、異物ＡＳがインクジェットインクの成分である場合に、本発明による効果がより顕著に発揮される。
【０１５０】
インクジェットインクの成分としては、例えば、各種染料、各種顔料等の着色剤、分散剤、浸透剤、溶解補助剤、ｐＨ調整剤等が挙げられる。
【０１５１】
また、異物ＡＳは、非イオン性の物質でも、カチオン性の物質でもよいが、アニオン性の物質であるのが好ましい。
【０１５２】
アニオン性の物質は、各種物質の中でも、特に、カチオン系ポリマーとの相互作用が強い。したがって、異物ＡＳがアニオン性の物質であると、カチオン系ポリマーとの相互作用により、より好適に凝集物ＡＧを形成することができ、除去部５においてより好適に除去することができる。
【０１５３】
アニオン性の物質としては、例えば、カーボンブラック等の負帯電性の着色剤；トリメチルエタン系染料、サリチル酸の金属錯塩、ベンジル酸の金属錯塩、銅フタロシアニン、ペリレン、キナクリドン、アゾ系顔料、金属錯塩アゾ系染料、アゾクロムコンプレックスなどの重金属含有酸性染料、カッリクスアレン型のフェノール系縮合物、環状ポリサッカライド、カルボキシル基やスルホニル基を含有する樹脂、アルミナ、シリカ、チタニア、酸化亜鉛、酸化ジルコニウム、酸化セリウム、タルク、ハイドロタルサイト等の金属酸化物や水酸化物、チタン酸カルシウム、チタン酸ストロンチウム、チタン酸バリウム等のチタン酸金属塩、窒化チタン、窒化珪素等の窒化物、炭化チタン、炭化珪素等の炭化物等の無機微粒子や、アクリル酸およびその誘導体を単量体の主成分とするアクリル酸系樹脂、メタクリル酸およびその誘導体を単量体の主成分とするメタクリル酸系樹脂、テトラフロロエチレン樹脂、トリフロロエチレン樹脂、ポリ塩化ビニル、ポリエチレン、ポリアクリロニトリル等の負帯電性の有機微粒子等の負帯電性の帯電制御剤や外添剤；ポリエステル等の負帯電性のバインダー（特に、トナーに用いられるバインダー）等が挙げられる。
【０１５４】
図１に示すように、グルーベルト３１の上側には、凝集部６よりも下流側に除去部（異物除去部）５が配置されている。
【０１５５】
除去部５は、凝集部６により生じた凝集物ＡＧをシート状材料Ｍ１から除去する除去工程（図３参照）を行う部分である。
【０１５６】
除去部５では、凝集物ＡＧとともに、余剰のカチオン系ポリマーを除去してもよい。
これにより、処理装置１で処理された材料中に不本意にカチオン系ポリマーが残存することをより効果的に防止することができる。また、除去部５よりも下流側にカチオン系ポリマーを除去するための除去部（第２の除去部）を設けることも考えられるが、除去部５（第１の除去部）で余剰のカチオン系ポリマーを除去することにより、第２の除去部での処理をより短時間で行うことができたり、第２の除去部の構造の簡略化を図ることができたりする。また、装置全体の小型化を図る上でも有利である。また、除去部５で凝集物ＡＧとともに余剰のカチオン系ポリマーを除去することにより、第２の除去部を設けなくても、処理済みのシート状材料Ｍ１に含まれるカチオン系ポリマーの含有率を十分に低くすることができ、処理済みのシート状材料Ｍ１の信頼性を十分に優れたものとすることができ、シート製造装置１００を用いて製造されるシートＳの信頼性を優れたものとすることができる。
【０１５７】
なお、除去部５で余剰のカチオン系ポリマーを除去する場合、カチオン系ポリマーの少なくとも一部を除去すればよい。
【０１５８】
本実施形態においては、除去部５では、凝集物ＡＧを含むシート状材料Ｍ１に、不織布または織布で構成された布材５１を接触させ、凝集物ＡＧを布材５１に移行させて（転写して）除去するように構成されている。除去部５は、布材５１と、２つの張架ローラー５２と、多数のアイドルローラー５３と、クリーニング部５４とを有している。
【０１５９】
これにより、より効率よく凝集物ＡＧを除去することができる。また、余剰のカチオン系ポリマーが残存している場合に、除去部５において、凝集物ＡＧとともに、余剰のカチオン系ポリマーも効率よく除去することができる。また、カチオン系ポリマーを含む液体ＣＰが溶媒を含む溶液や分散媒を含む分散液である場合に、布材５１が当該溶媒や当該分散媒も吸収により好適に除去することができる。その結果、除去部５を通過したシート状材料Ｍ１の液体含有率（例えば、水分含有率）をより低いものとすることができる。
【０１６０】
また、布材５１が不織布または織布で構成されていることにより、凝集物ＡＧを効率よくシート状材料Ｍ１から絡め取ることができる。また、除去部５では、布材５１が無端ベルトとなっている。これにより、例えば、布材５１をクリーニング部５４によって清掃すれば、そのまま布材５１を凝集物ＡＧの除去に使用し続けることができる。
【０１６１】
２つの張架ローラー５２は、上流側と下流側とに互いに離間して配置されており、布材５１が掛け回されている。２つの張架ローラー５２のうちの一方の張架ローラー５２は、モーター（図示せず）に接続され、このモーターの駆動により矢印α５２方向に回転する駆動ローラーである。また、他方の張架ローラー５２は、駆動ローラーからの回転力が布材５１を介して伝達されて、駆動ローラーと同様に矢印α５２方向に回転する従動ローラーである。そして、各張架ローラー５２の回転により、布材５１は、グルーベルト３１上では、搬送方向α３１と反対方向の矢印α５１方向に駆動する。これにより、布材５１は、凝集物ＡＧをシート状材料Ｍ１から移行させて、すなわち、付着させて、拭き取ることができる。その結果、凝集物ＡＧが十分に除去されて、図７に示す状態となる。
【０１６２】
また、除去部５では、駆動ローラーの回転数を調整することにより、布材５１の矢印α５１方向への駆動速度が可変となる。
【０１６３】
多数のアイドルローラー５３は、２つの張架ローラー５２の間に、等間隔に配置されている。各アイドルローラー５３は、布材５１の駆動に伴って、張架ローラー５２の回転方向と同方向の矢印α５３方向に回転することができる。
【０１６４】
また、布材５１の下方には、複数のアイドルローラー３３がグルーベルト３１を介して位置している（以下のこれらのアイドルローラー３３を「アイドルローラー３３ｂ」と言う）。そして、これらのアイドルローラー３３ｂと、前記アイドルローラー５３との間で、布材５１をシート状材料Ｍ１に押し付けることができる。これにより、布材５１と凝集物ＡＧとが十分に接触して、よって、凝集物ＡＧの除去が十分に行われる。
【０１６５】
また、布材５１は、図１に示す構成では搬送方向α３１と反対方向の矢印α５１方向に駆動するが、これに限定されず、例えば、搬送方向α３１と同方向に駆動してもよい。この場合、布材５１の駆動速度と、シート状材料Ｍ１の搬送速度との間には、差があるのが好ましい。
【０１６６】
除去部５は、凝集物ＡＧが移行してきた布材５１を清掃するクリーニング部５４を有している。クリーニング部５４は、布材５１の上方に配置されており、布材５１に付着した凝集物ＡＧを吸引するよう構成されている。これにより、布材５１から凝集物ＡＧ（異物ＡＳ）が除去され、よって、布材５１が清掃される。清掃された布材５１は、再度凝集物ＡＧ（異物ＡＳ）の除去に用いられる。
【０１６７】
＜第２実施形態＞
図８は、本発明のシート製造装置（第２実施形態）の上流側（本発明の処理装置）の構成を示す概略側面図である。図９は、本発明のシート製造装置（第２実施形態）が実行する工程を順に示す図である。図１０〜図１３は、それぞれ、図８に示す処理装置により処理されるシート状材料の状態を順に示すイメージ図（図１０は図８中の一点鎖線で囲まれた領域［Ａ’］の拡大図、図１１は図８中の一点鎖線で囲まれた領域［Ｂ’］の拡大図、図１２は図８中の一点鎖線で囲まれた領域［Ｃ’］の拡大図、図１３は図８中の一点鎖線で囲まれた領域［Ｄ’］の拡大図）である。
【０１６８】
以下、これらの図を参照して本発明の処理装置、シート製造装置、処理方法およびシートの製造方法の第２実施形態について説明するが、前述した実施形態との相違点を中心に説明し、同様の事項はその説明を省略する。
本実施形態は、予備付与部を備えること以外は前述した第１実施形態と同様である。
【０１６９】
図８に示すように、本実施形態では、予備付与部（第１の液体付与部）７において、シート状材料Ｍ１にカチオン系ポリマーを含む液体ＣＰを付与し、その下流側に設けられた表面積増大処理部（前処理部）４で、シート状材料Ｍ１の表面積を増大させるための前処理を施し、さらにその下流側に設けられた凝集部６（液体付与部、第２の液体付与部）で、シート状材料Ｍ１にカチオン系ポリマーを含む液体ＣＰを付与するように構成されている。言い換えると、本実施形態の処理装置１は、表面積増大処理部４よりも上流側に、シート状材料Ｍ１に予備的にカチオン系ポリマーを含む液体ＣＰを付与する予備付与部７をさらに備えている。この予備付与部７が行う予備付与工程は、表面積増大工程より前に行われる。
【０１７０】
このような構成により、より効率よく凝集物ＡＧを形成することができる。より詳しく説明すると、表面積増大処理部４に供給されるシート状材料Ｍ１に対して、予備付与部７において予め比較的少量のカチオン系ポリマーを含む液体ＣＰが付与されることにより、表面積増大処理部４でシート状材料Ｍ１の表面積を増大させるための処理を行う際に、表面積増大処理部４に多量の液体ＣＰが付着するのを効果的に防止しつつ、予備付与部７で付与されたカチオン系ポリマーを含む液体ＣＰを、効率よく繊維ＦＢの隙間に侵入させたり、効率よく繊維ＦＢの内部に浸透させたりすることができる。その結果、これらの部位に含まれる異物ＡＳとカチオン系ポリマーを効率よく接触させることができる。そして、表面積増大処理部４より下流側の凝集部６（第２の液体付与部）で、シート状材料Ｍ１にカチオン系ポリマーを含む液体ＣＰをさらに付与することにより、新たに付与されたカチオン系ポリマーを含む液体ＣＰが、それより上流側で異物ＡＳと接触していたカチオン系ポリマーと接触し、より大きく、より除去されやすい形態の凝集物ＡＧが形成される。このようなことから、より効率よく凝集物ＡＧを形成することができる。また、全体としてのカチオン系ポリマー（液体ＣＰ）の利用量を抑制した場合でも、十分に異物ＡＳを除去することができる。
【０１７１】
なお、各工程でのシート状材料Ｍ１の状態は、図１０〜図１３に示すようになる。
すなわち、予備付与工程では、予備的に比較的少量のカチオン系ポリマーを含む液体ＣＰを付与した状態では、凝集物ＡＧの成長（粗大化）はほとんど進行していない（図１０参照）。
【０１７２】
表面積増大工程では、表面積増大処理部（毛羽立て部）４による外力が加わり、シート状材料の表面積が増大するとともに、カチオン系ポリマーと異物ＡＳとの接触が促進され、凝集物ＡＧの成長が進行する（図１１参照）。
【０１７３】
凝集工程で、さらに、カチオン系ポリマーを含む液体ＣＰが追加で付与されると、凝集物ＡＧの成長がさらに進行する（図１２参照）。
【０１７４】
その後の除去工程では、凝集物ＡＧが十分に除去されて、図１３に示すような状態となる。
【０１７５】
予備付与部７でシート状材料Ｍ１に付与するカチオン系ポリマーを含む液体ＣＰの目付量は、通常、凝集部６でシート状材料Ｍ１に付与するカチオン系ポリマーを含む液体ＣＰの目付量よりも少ないものである。
【０１７６】
具体的には、予備付与部７でシート状材料Ｍ１に付与するカチオン系ポリマーを含む液体ＣＰの目付量は、特に限定されないが、０．０１μｇ／ｍ２以上１０ｇ／ｍ２以下であるのが好ましく、０．１０μｇ／ｍ２以上５ｇ／ｍ２以下であるのがより好ましく、０．３０μｇ／ｍ２以上１ｇ／ｍ２以下であるのがさらに好ましい。
【０１７７】
これにより、カチオン系ポリマーを含む液体ＣＰの使用量を抑制しつつ、異物ＡＳをより効率よく除去することができる。
【０１７８】
また、予備付与部７でシート状材料Ｍ１に付与するカチオン系ポリマーの量は、凝集部６でシート状材料Ｍ１に付与するカチオン系ポリマー：１００質量部に対し、０．１質量部以上３０質量部以下であるのが好ましく、０．２質量部以上２５質量部以下であるのがより好ましく、０．３質量部以上２０質量部以下であるのがさらに好ましい。
【０１７９】
これにより、カチオン系ポリマーの使用量を抑制しつつ、異物ＡＳをより効率よく除去することができる。
【０１８０】
なお、予め、図示しない検出手段により、（例えば、光学的に）シート状材料Ｍ１の異物ＡＳを含む部位を特定すること（当該部位の座標を求めること）により、予備付与部７によるカチオン系ポリマーを含む液体ＣＰの付与を、特定の部位に選択的に行うことができる。また、図示しない検出手段により、（例えば、光学的に）シート状材料Ｍ１の各部位での異物ＡＳの含有量（絶対的な含有量または相対的な含有率）を検出し、当該検出結果に基づいて、予備付与部７によるカチオン系ポリマーを含む液体ＣＰの付与量を調整してもよい。
【０１８１】
また、予め、図示しない検出手段により、（例えば、光学的に）シート状材料Ｍ１の異物ＡＳの含有量（絶対的な含有量または相対的な含有率）を検出し、当該検出結果に基づいて、予備付与部７および凝集部６の作動を制御してもよい。例えば、異物ＡＳの含有量が多い場合には、予備付与部７および凝集部６を作動させ、異物ＡＳの含有量が少ない場合には、凝集部６を作動させ、予備付与部７の作動を中止してもよい。
【０１８２】
予備付与部７でシート状材料Ｍ１に付与するカチオン系ポリマーを含む液体ＣＰと、凝集部６でシート状材料Ｍ１に付与するカチオン系ポリマーを含む液体ＣＰとでは、例えば、カチオン系ポリマーを含む液体ＣＰの組成（例えば、カチオン系ポリマーの組成、カチオン系ポリマーの含有率、溶媒・分散媒等のカチオン系ポリマー以外の成分の含有率、組成等）等の条件が、同一であってもよいし、異なっていてもよい。
【０１８３】
特に、予備付与部７でシート状材料Ｍ１に付与するカチオン系ポリマーを含む液体ＣＰ中のカチオン系ポリマーの含有率を、凝集部６でシート状材料Ｍ１に付与するカチオン系ポリマーを含む液体ＣＰ中のカチオン系ポリマーよりも低いものとすることにより、各工程でのカチオン系ポリマーの付与量の制御が容易となる。
【０１８４】
以上、本発明の処理装置、シート製造装置、処理方法およびシートの製造方法を図示の実施形態について説明したが、本発明は、これらに限定されるものではない。また、処理装置およびシート製造装置を構成する各部は、同様の機能を発揮し得る任意の構成のものと置換することができる。また、任意の構成物が付加されていてもよい。
【０１８５】
また、本発明の処理装置、シート製造装置、処理方法およびシートの製造方法は、前記各実施形態のうちの、任意の２以上の構成（特徴）を組み合わせたものであってもよい。
【０１８６】
また、前述した実施形態では、毛羽立て部は、１つのブラシを有していたが、これに限定されず、例えば、原料の搬送方向に沿って配置された複数のブラシを有していてもよい。
【０１８７】
また、毛羽立て部は、鉤状をなす複数本の爪部と、当該爪部を回動可能に支持する回動支持部とを有するものであってもよい。
【０１８８】
また、表面積増大処理部は、シート状材料の表面積を増大させるための前処理を施す部位であれば、いかなる構成であってもよく、シート状材料を毛羽立たせるものでなくてもよい。
また、表面積増大処理部（表面積増大工程）は省略してもよい。
【０１８９】
また、前述した実施形態では、除去部は、無端ベルトで構成された１つの布材を有していたが、これに限定されず、例えば、原料の搬送方向に沿って配置された複数の布材を有していてもよい。
【０１９０】
また、本発明において、除去部は、凝集物を材料中から除去することができれば、いかなる構成のものであってもよい。
【符号の説明】
【０１９１】
１００…シート製造装置、１…処理装置、３…搬送部、３１…グルーベルト、３２…張架ローラー、３３…アイドルローラー、３３ａ…アイドルローラー、３３ｂ…アイドルローラー、４…表面積増大処理部（前処理部、毛羽立て部）、４１…ブラシ、４１１…芯部、４１２…ブラシ毛、５…除去部（異物除去部）、５１…布材、５２…張架ローラー、５３…アイドルローラー、５４…クリーニング部、６…凝集部（異物凝集部、液体付与部、第２の液体付与部）、７…予備付与部（第１の液体付与部）、１１…原料供給部、１２…粗砕部、１２１…粗砕刃、１２２…シュート（ホッパー）、１３…解繊部、１４…選別部、１４１…ドラム部（篩部）、１４２…ハウジング部、１５…第１ウェブ形成部、１５１…メッシュベルト、１５２…張架ローラー、１５３…吸引部（サクション機構）、１６…細分部、１６１…プロペラ、１６２…ハウジング部、１７…混合部、１７１…樹脂供給部、１７２…管（流路）、１７３…ブロアー、１７４…スクリューフィーダー、１８…ほぐし部、１８１…ドラム部、１８２…ハウジング部、１９…第２ウェブ形成部、１９１…メッシュベルト（分離ベルト）、１９２…張架ローラー、１９３…吸引部（サクション機構）、２０…シート形成部、２０１…加圧部、２０２…加熱部、２０３…カレンダーローラー、２０４…加熱ローラー、２１…切断部、２１１…第１カッター、２１２…第２カッター、２２…ストック部、２３１…加湿部、２３２…加湿部、２３３…加湿部、２３４…加湿部、２３５…加湿部、２３６…加湿部、２４１…管（流路）、２４２…管（流路）、２４３…管（流路）、２４４…管（流路）、２４５…管（流路）、２４６…管（流路）、２６１…ブロアー、２６２…ブロアー、２６３…ブロアー、２７…回収部、ＡＧ…凝集物、ＡＳ…異物、ＣＰ…カチオン系ポリマーを含む液体（凝集材）、ＦＢ…繊維、Ｍ１…シート状材料（原料）、Ｍ２…粗砕片、Ｍ３…解繊物、Ｍ４−１…第１選別物、Ｍ４−２…第２選別物、Ｍ５…第１ウェブ、Ｍ６…細分体、Ｍ７…混合物、Ｍ８…第２ウェブ、Ｐ１…樹脂、Ｓ…シート、α３１…搬送方向、α３２…矢印、α３３…矢印、α４１…矢印、α５１…矢印、α５２…矢印、α５３…矢印
【図１】
2018184668.tif 000007
【図２】
2018184668.tif 000008
【図３】
2018184668.tif 000009
【図４】
2018184668.tif 000010
【図５】
2018184668.tif 000011
【図６】
2018184668.tif 000012
【図７】
2018184668.tif 000013
【図８】
2018184668.tif 000014
【図９】
2018184668.tif 000015
【図１０】
2018184668.tif 000016
【図１１】
2018184668.tif 000017
【図１２】
2018184668.tif 000018
【図１３】
2018184668.tif 000019